(57)【要約】【課題】汚染物質の吸収量を算出するスマートマスク等を提供する。【解決手段】スマートマスクは、正面マスク部と主マスク部と固定用ストラップとを備える。正面マスク部は主マスク部の第１の開口端に配置され、固定用ストラップは主マスク部の第２の開口端に配置される。主マスク部は内部にフィルターとセンサーが順に備えられ、フィルターは正面マスク部に入る空気の汚染物質を吸収するように構成され、センサーはスマートマスクの装着時間を記録するように構成されている。固定用ストラップは第２の開口端を介して鼻及び口の上にスマートマスクを固定し、主マスク部と口及び鼻との間に閉じた空洞を形成するように構成されている。本発明によると、スマートマスクを装着している間の汚染物質の吸収量は、スマートマスクにより記録される装着時間と装着時間の間に得られる地域の空気質指数とに基づいて算出され、より直感的にその地域の空気の状態を表示する。【選択図】図１
2017536525.tif 000002
【特許請求の範囲】
【請求項１】
第１の開口端と第２の開口端とを備え、前記第１の開口端の直径は前記第２の開口端の直径より小さい主マスク部と、
前記主マスク部の前記第１の開口端に配置される正面マスク部と、
前記主マスク部の前記第２の開口端に配置される固定用ストラップと、
を備え、
前記正面マスク部は内部にフィルターとセンサーが順に備えられ、前記フィルターは前記正面マスク部に入る空気の汚染物質を吸収するように構成され、前記センサーはスマートマスクの装着時間を記録するように構成され、
前記固定用ストラップは前記第２の開口端を介してユーザの鼻及び口の上に前記スマートマスクを固定し、前記主マスク部と鼻及び口との間に閉じた空洞を形成するように構成されている
ことを特徴とするスマートマスク。
【請求項２】
前記センサーは、圧力センサー又はタッチ力センサーにより構成される
ことを特徴とする請求項１に記載のスマートマスク。
【請求項３】
前記正面マスク部は、内部にプロセッサとバッテリーを備え、
前記プロセッサは、接続モジュールと、少なくともプリント回路基板（ＰＣＢ）及びシングルチップマイクロコンピュータにより集積された集積回路基板とを備え、
前記バッテリーは、前記プロセッサに電力を供給するために用いられる
ことを特徴とする請求項１に記載のスマートマスク。
【請求項４】
前記プロセッサと前記バッテリーは、前記正面マスク部の内壁に配置される
ことを特徴とする請求項３に記載のスマートマスク。
【請求項５】
前記接続モジュールは、bluetooth（登録商標）モジュール、赤外線モジュール、及び、近距離無線通信（ＮＦＣ）モジュールの１つにより構成される
ことを特徴とする請求項３に記載のスマートマスク。
【請求項６】
請求項１乃至請求項５のいずれか１項に記載のスマートマスクに適用される汚染物質の吸収量の算出方法であって、
ユーザが前記スマートマスクを装着する間の装着時間を記録するステップと、
端末が前記装着時間と前記装着時間の間の地域の空気質指数とに基づいて汚染物質の吸収量を算出するために、前記端末へ前記装着時間を送信するステップと、
を含むことを特徴とする汚染物質の吸収量の算出方法。
【請求項７】
前記装着時間を前記端末へ送信するステップの前に、更に、
bluetooth（登録商標）信号を介して前記端末と接続を確立するためのbluetooth（登録商標）機能を開始するステップ、
ＮＦＣデータチャネルを介して前記端末と接続を確立するためのＮＦＣ機能を開始するステップ、又は、
赤外線信号を介して前記端末と接続を確立するための赤外線機能を開始するステップ
を含むことを特徴とする請求項６に記載の汚染物質の吸収量の算出方法。
【請求項８】
スマートマスクの組込みセンサーによって記録され、前記スマートマスクによって送信された装着時間を受信するステップと、
前記装着時間の間の地域の空気質指数を得るステップと、
前記装着時間と前記装着時間の間の地域の空気質指数とに基づいて汚染物質の吸収量を算出するステップと、
を含むことを特徴とする汚染物質の吸収量の算出方法。
【請求項９】
前記スマートマスクによって送信された前記装着時間を受信するステップの前に、更に、
bluetooth（登録商標）信号を介して前記スマートマスクと接続を確立するためのbluetooth（登録商標）機能を開始するステップ、
ＮＦＣデータチャネルを介して前記スマートマスクと接続を確立するためのＮＦＣ機能を開始するステップ、又は、
赤外線信号を介して前記スマートマスクと接続を確立するための赤外線機能を開始するステップ、
を含むことを特徴とする請求項８に記載の汚染物質の吸収量の算出方法。
【請求項１０】
前記装着時間の間の前記地域の空気質指数を得るステップは、
インターネットを介して前記装着時間の間の前記地域の空気質指数を得るステップ、又は、
組込みセンサーによって前記装着時間の間の前記地域の空気質指数を得るステップ、
を含むことを特徴とする請求項８に記載の汚染物質の吸収量の算出方法。
【請求項１１】
前記装着時間と前記装着時間の間の前記地域の空気質指数とに基づいて前記汚染物質の吸収量を算出するステップは、
第１の単位時間におけるユーザの呼吸量を得るステップと、
前記装着時間と前記装着時間の間の前記地域の空気質指数と前記第１の単位時間におけるユーザの前記呼吸量とに基づいて、汚染物質の総量を算出するステップと、
前記汚染物質の総量と前記スマートマスクのフィルターの濾過効率とに基づいて、汚染物質の吸収量を得るステップと、
を含むことを特徴とする請求項８に記載の汚染物質の吸収量の算出方法。
【請求項１２】
前記第１の単位時間におけるユーザの前記呼吸量を得るステップは、
第２の単位時間におけるユーザの呼吸パラメータを得るステップと、
前記第２の単位時間の呼吸数と各呼吸の呼吸量とに基づいて、前記第１の単位時間におけるユーザの呼吸量を算出するステップと、を含み、
前記呼吸パラメータは、呼吸数と各呼吸の呼吸量とを含む
ことを特徴とする請求項１１に記載の汚染物質の吸収量の算出方法。
【請求項１３】
前記第２の単位時間におけるユーザの前記呼吸パラメータを得るステップは、
ユーザの動作状態を得るステップと、
ユーザの前記動作状態に基づいて、前記第２の単位時間におけるユーザの前記呼吸パラメータを決定するステップと、
を含むことを特徴とする請求項１２に記載の汚染物質の吸収量の算出方法。
【請求項１４】
ユーザの前記動作状態を得るステップは、
ウェアラブルデバイスによって送信されたユーザの生理的なパラメータを受信し、前記生理的なパラメータに基づいてユーザの前記動作状態を決定するステップ、
組込みの重力センサーによって得られた端末の動作状態に基づいて、ユーザの前記動作状態を決定するステップ、又は
組込みの速度センサーによって検出されたユーザの運動速度に基づいて、ユーザの前記動作状態を決定するステップ、
を含むことを特徴とする請求項１３に記載の汚染物質の吸収量の算出方法。
【請求項１５】
前記汚染物質の吸収量を算出するステップの後に、更に、
サーバが他の端末によってアップロードされた汚染物質の吸収量に基づいて吸収量のランキングリストを決定し、前記吸収量のランキングリストをフィードバックするために、前記サーバへ汚染物質の吸収量をアップロードするステップと、
前記サーバによりフィードバックされる前記吸収量のランキングリストを受信するステップと、
を含むことを特徴とする請求項８に記載の汚染物質の吸収量の算出方法。
【請求項１６】
ユーザがスマートマスクを装着している間の装着時間を記録するように構成された記録モジュールと、
端末が前記装着時間と前記装着時間の間の地域の空気質指数とに基づいて汚染物質の吸収量を算出するために、前記端末へ前記装着時間を送信するように構成された送信モジュールと、
を備えることを特徴とするスマートマスク。
【請求項１７】
bluetooth（登録商標）信号を介して前記端末と接続を確立するためのbluetooth（登録商標）機能を開始するように構成された接続モジュール、
ＮＦＣデータチャネルを介して前記端末と接続を確立するためのＮＦＣ機能を開始するように構成された接続モジュール、又は、
赤外線信号を介して前記端末と接続を確立するための赤外線機能を開始するように構成された接続モジュール、
を更に備えることを特徴とする請求項１６に記載のスマートマスク。
【請求項１８】
スマートマスクの組込みセンサーによって記録され、前記スマートマスクによって送信された装着時間を受信するように構成された第１の受信モジュールと、
前記装着時間の間に地域の空気質指数を得るように構成された取得モジュールと、
前記装着時間と前記装着時間の間の地域の空気質指数とに基づいて、汚染物質の吸収量を算出するように構成された算出モジュールと、
を備えることを特徴とする汚染物質の吸収量の算出装置。
【請求項１９】
bluetooth（登録商標）信号を介して前記スマートマスクと接続を確立するためのbluetooth（登録商標）機能を開始するように構成された接続モジュール、
ＮＦＣデータチャネルを介して前記スマートマスクと接続を確立するためのＮＦＣ機能を開始するように構成された接続モジュール、又は、
赤外線信号を介して前記スマートマスクと接続を確立するための赤外線機能を開始するように構成された接続モジュール、
を更に備えることを特徴とする請求項１８に記載の汚染物質の吸収量の算出装置。
【請求項２０】
前記取得モジュールは、インターネットを介して前記装着時間の間の前記地域の空気質指数を得るように構成されている、又は、
前記取得モジュールは、組込みの空気センサーによって前記装着時間の間の前記地域の空気質指数を得るように構成されている
ことを特徴とする請求項１８に記載の汚染物質の吸収量の算出装置。
【請求項２１】
前記算出モジュールは、
第１の単位時間におけるユーザの呼吸量を得て、
前記装着時間と前記装着時間の間の前記地域の空気質指数と前記第１の単位時間におけるユーザの前記呼吸量とに基づいて、汚染物質の総量を算出し、
前記汚染物質の総量と前記スマートマスクのフィルターの濾過効率とに基づいて、汚染物質の吸収量を得る
ように構成されていることを特徴とする請求項１８に記載の汚染物質の吸収量の算出装置。
【請求項２２】
前記算出モジュールは、具体的に、
第２の単位時間におけるユーザの呼吸パラメータを得て、
前記第２の単位時間の呼吸数と各呼吸の呼吸量とに基づいて、前記第１の単位時間におけるユーザの呼吸量を算出するように構成され、
前記呼吸パラメータは、呼吸数と各呼吸の呼吸量とを含む
ことを特徴とする請求項２１に記載の汚染物質の吸収量の算出装置。
【請求項２３】
前記算出モジュールは、具体的に、
ユーザの動作状態を得て、
ユーザの前記動作状態に基づいて、前記第２の単位時間におけるユーザの前記呼吸パラメータを決定する
ように構成されていることを特徴とする請求項２２に記載の汚染物質の吸収量の算出装置。
【請求項２４】
前記算出モジュールは、具体的に、ウェアラブルデバイスによって送信されたユーザの生理的なパラメータを受信し、前記生理的なパラメータに基づいてユーザの前記動作状態を決定するように構成されている、
前記算出モジュールは、具体的に、組込みの重力センサーによって得られた端末の動作状態に基づいて、ユーザの前記動作状態を決定するように構成されている、又は、
前記算出モジュールは、具体的に、組込みの速度センサーによって検出されたユーザの運動速度に基づいて、ユーザの前記動作状態を決定するように構成されている
ことを特徴とする請求項２３に記載の汚染物質の吸収量の算出装置。
【請求項２５】
サーバが他の端末によってアップロードされた汚染物質の吸収量に基づいて吸収量のランキングリストを決定し、前記吸収量のランキングリストをフィードバックするために、前記サーバへ汚染物質の吸収量をアップロードするように構成されたアップロードモジュールと、
前記サーバによりフィードバックされる前記吸収量のランキングリストを受信するように構成された第２の受信モジュールと、
を更に備えることを特徴とする請求項１８に記載の汚染物質の吸収量の算出装置。
【請求項２６】
プロセッサと、
前記プロセッサによって実行可能な命令を記憶するように構成されたメモリと、
を備え、
前記プロセッサは、
ユーザがスマートマスクを装着している間の装着時間を記録し、
前記装着時間と前記装着時間の間の地域の空気質指数とに基づいて、汚染物質の吸収量を算出する端末へ、前記装着時間を送信する
ように構成されていることを特徴とするスマートマスク。
【請求項２７】
スマートマスクの組込みセンサーによって記録され、前記スマートマスクによって送信された装着時間を受信する手段と、
前記装着時間の間の地域の空気質指数を得る手段と、
前記装着時間と前記装着時間の間の地域の空気質指数とに基づいて、汚染物質の吸収量を算出する手段と、
を備えることを特徴とする汚染物質の吸収量の算出装置。
【発明の詳細な説明】
【技術分野】
【０００１】
［関連出願への相互参照］
本出願は、２０１５年７月３１日に出願された中国特許出願Ｎｏ．２０１５１０４６２８９０．２に基づくとともに当該出願への優先権を主張し、その全体の内容が参照によってここに取り込まれる。
【０００２】
［技術分野］
本発明は、端末技術の分野に関連し、より具体的には、スマートマスク、並びに、汚染物質の吸収量を算出する方法、スマートマスク及び装置に関係する。
【背景技術】
【０００３】
技術の発展に伴い、工業製品によって引き起こされる汚染は、ますます深刻になってきている。ＰＭ（Fine Particulate Matter）２．５のような汚染物質の濃度は年々増加し、様々な呼吸器疾患を被る頻度は上昇し続けている。マスクは、ある程度空気をフィルターして肺の中へ入れ、（有毒ガスや塵などの）空気中の汚染物質が肺に入るのを効果的に妨げるだろう。そのため、マスクは健康を守るために重要なバリアとなる。
【発明の概要】
【発明が解決しようとする課題】
【０００４】
関連技術の欠点を克服するために、本発明の実施形態は、スマートマスク、並びに、汚染物質の吸収量を算出する方法、スマートマスク及び装置を提供する。
【課題を解決するための手段】
【０００５】
本発明の実施形態の第１の側面によると、スマートマスクが提供される。スマートマスクは、第１の開口端と第２の開口端とを備え、前記第１の開口端の直径は前記第２の開口端の直径より小さい主マスク部と、前記主マスク部の前記第１の開口端に配置される正面マスク部と、前記主マスク部の前記第２の開口端に配置される固定用ストラップと、を備え、前記正面マスク部は内部にフィルターとセンサーが順に備えられ、前記フィルターは前記正面マスク部に入る空気の汚染物質を吸収するように構成され、前記センサーはスマートマスクの装着時間を記録するように構成され、前記固定用ストラップは前記第２の開口端を介してユーザの鼻及び口の上に前記スマートマスクを固定し、前記主マスク部と鼻及び口との間に閉じた空洞を形成するように構成されている。
【０００６】
代替的に、前記センサーは、圧力センサー又はタッチ力センサーにより構成される。
【０００７】
代替的に、前記正面マスク部は、内部にプロセッサとバッテリーを備え、前記プロセッサは、接続モジュールと、少なくともプリント回路基板（ＰＣＢ）及びシングルチップマイクロコンピュータにより集積された集積回路基板とを備え、前記バッテリーは、前記プロセッサに電力を供給するために用いられる。
【０００８】
代替的に、前記プロセッサと前記バッテリーは、前記正面マスク部の内壁に配置される。
【０００９】
代替的に、前記接続モジュールは、bluetooth（登録商標）モジュール、赤外線モジュール、及び、近距離無線通信（ＮＦＣ）モジュールの１つにより構成される。
【００１０】
本発明の実施形態の第２の側面によると、第１の側面に係るスマートマスクに適用される汚染物質の吸収量の算出方法であって、ユーザが前記スマートマスクを装着する間の装着時間を記録するステップと、端末が前記装着時間と前記装着時間の間の地域の空気質指数とに基づいて汚染物質の吸収量を算出するために、前記端末へ前記装着時間を送信するステップと、を含むことを特徴とする汚染物質の吸収量の算出方法が提供される。
【００１１】
代替的に、前記装着時間を前記端末へ送信するステップの前に、更に、bluetooth（登録商標）信号を介して前記端末と接続を確立するためのbluetooth（登録商標）機能を開始するステップ、ＮＦＣデータチャネルを介して前記端末と接続を確立するためのＮＦＣ機能を開始するステップ、又は、赤外線信号を介して前記端末と接続を確立するための赤外線機能を開始するステップを含む。
【００１２】
本発明の実施形態の第３の側面によると、汚染物質の吸収量の算出方法が提供される。この方法は、スマートマスクの組込みセンサーによって記録され、前記スマートマスクによって送信された装着時間を受信するステップと、前記装着時間の間の地域の空気質指数を得るステップと、前記装着時間と前記装着時間の間の地域の空気質指数とに基づいて汚染物質の吸収量を算出するステップと、を含む。
【００１３】
代替的に、前記スマートマスクによって送信された前記装着時間を受信するステップの前に、更に、この方法は、bluetooth（登録商標）信号を介して前記スマートマスクと接続を確立するためのbluetooth（登録商標）機能を開始するステップ、ＮＦＣデータチャネルを介して前記スマートマスクと接続を確立するためのＮＦＣ機能を開始するステップ、又は、赤外線信号を介して前記スマートマスクと接続を確立するための赤外線機能を開始するステップ、を含む。
【００１４】
代替的に、前記装着時間の間の前記地域の空気質指数を得るステップは、インターネットを介して前記装着時間の間の前記地域の空気質指数を得るステップ、又は、組込みセンサーによって前記装着時間の間の前記地域の空気質指数を得るステップ、を含む。
【００１５】
代替的に、前記装着時間と前記装着時間の間の前記地域の空気質指数とに基づいて前記汚染物質の吸収量を算出するステップは、第１の単位時間におけるユーザの呼吸量を得るステップと、前記装着時間と前記装着時間の間の前記地域の空気質指数と前記第１の単位時間におけるユーザの前記呼吸量とに基づいて、汚染物質の総量を算出するステップと、前記汚染物質の総量と前記スマートマスクのフィルターの濾過効率とに基づいて、汚染物質の吸収量を得るステップと、を含む。
【００１６】
代替的に、前記第１の単位時間におけるユーザの前記呼吸量を得るステップは、第２の単位時間におけるユーザの呼吸パラメータを得るステップと、前記第２の単位時間の呼吸数と各呼吸の呼吸量とに基づいて、前記第１の単位時間におけるユーザの呼吸量を算出するステップと、を含み、前記呼吸パラメータは、呼吸数と各呼吸の呼吸量とを含む。
【００１７】
代替的に、前記第２の単位時間におけるユーザの前記呼吸パラメータを得るステップは、ユーザの動作状態を得るステップと、ユーザの前記動作状態に基づいて、前記第２の単位時間におけるユーザの前記呼吸パラメータを決定するステップと、を含む。
【００１８】
代替的に、ユーザの前記動作状態を得るステップは、ウェアラブルデバイスによって送信されたユーザの生理的なパラメータを受信し、前記生理的なパラメータに基づいてユーザの前記動作状態を決定するステップ、組込みの重力センサーによって得られた端末の動作状態に基づいて、ユーザの前記動作状態を決定するステップ、又は、組込みの速度センサーによって検出されたユーザの運動速度に基づいて、ユーザの前記動作状態を決定するステップを含む。
【００１９】
代替的に、前記汚染物質の吸収量を算出するステップの後に、この方法は、更に、サーバが他の端末によってアップロードされた汚染物質の吸収量に基づいて吸収量のランキングリストを決定し、前記吸収量のランキングリストをフィードバックするために、前記サーバへ汚染物質の吸収量をアップロードするステップと、前記サーバによりフィードバックされる前記吸収量のランキングリストを受信するステップと、を含む。
【００２０】
本発明の実施形態の第４の側面によると、スマートマスクが提供される。スマートマスクは、ユーザがスマートマスクを装着している間の装着時間を記録するように構成された記録モジュールと、端末が前記装着時間と前記装着時間の間の地域の空気質指数とに基づいて汚染物質の吸収量を算出するために、前記端末へ前記装着時間を送信するように構成された送信モジュールと、を備える。
【００２１】
代替的に、スマートマスクは、bluetooth（登録商標）信号を介して前記端末と接続を確立するためのbluetooth（登録商標）機能を開始するように構成された接続モジュール、ＮＦＣデータチャネルを介して前記端末と接続を確立するためのＮＦＣ機能を開始するように構成された接続モジュール、又は、赤外線信号を介して前記端末と接続を確立するための赤外線機能を開始するように構成された接続モジュール、を更に備える。
【００２２】
本発明の実施形態の第５の側面によると、汚染物質の吸収量の算出装置が提供される。この装置は、スマートマスクの組込みセンサーによって記録され、前記スマートマスクによって送信された装着時間を受信するように構成された第１の受信モジュールと、前記装着時間の間に地域の空気質指数を得るように構成された取得モジュールと、前記装着時間と前記装着時間の間の地域の空気質指数とに基づいて、汚染物質の吸収量を算出するように構成された算出モジュールと、を備える。
【００２３】
代替的に、この装置は、bluetooth（登録商標）信号を介して前記スマートマスクと接続を確立するためのbluetooth（登録商標）機能を開始するように構成された接続モジュール、ＮＦＣデータチャネルを介して前記スマートマスクと接続を確立するためのＮＦＣ機能を開始するように構成された接続モジュール、又は、赤外線信号を介して前記スマートマスクと接続を確立するための赤外線機能を開始するように構成された接続モジュール、を更に備える。
【００２４】
代替的に、前記取得モジュールは、インターネットを介して前記装着時間の間の前記地域の空気質指数を得るように構成されている、又は、前記取得モジュールは、組込みの空気センサーによって前記装着時間の間の前記地域の空気質指数を得るように構成されている。
【００２５】
代替的に、前記算出モジュールは、第１の単位時間におけるユーザの呼吸量を得て、前記装着時間と前記装着時間の間の前記地域の空気質指数と前記第１の単位時間におけるユーザの前記呼吸量とに基づいて、汚染物質の総量を算出し、前記汚染物質の総量と前記スマートマスクのフィルターの濾過効率とに基づいて、汚染物質の吸収量を得るように構成されている。
【００２６】
代替的に、前記算出モジュールは、具体的に、第２の単位時間におけるユーザの呼吸パラメータを得て、前記第２の単位時間の呼吸数と各呼吸の呼吸量とに基づいて、前記第１の単位時間におけるユーザの呼吸量を算出するように構成され、前記呼吸パラメータは、呼吸数と各呼吸の呼吸量とを含む。
【００２７】
代替的に、前記算出モジュールは、具体的に、ユーザの動作状態を得て、ユーザの前記動作状態に基づいて、前記第２の単位時間におけるユーザの前記呼吸パラメータを決定するように構成されている。
【００２８】
代替的に、前記算出モジュールは、具体的に、ウェアラブルデバイスによって送信されたユーザの生理的なパラメータを受信し、前記生理的なパラメータに基づいてユーザの前記動作状態を決定するように構成されている、前記算出モジュールは、具体的に、組込みの重力センサーによって得られた端末の動作状態に基づいて、ユーザの前記動作状態を決定するように構成されている、又は、前記算出モジュールは、具体的に、組込みの速度センサーによって検出されたユーザの運動速度に基づいて、ユーザの前記動作状態を決定するように構成されている。
【００２９】
代替的に、この装置は、サーバが他の端末によってアップロードされた汚染物質の吸収量に基づいて吸収量のランキングリストを決定し、前記吸収量のランキングリストをフィードバックするために、前記サーバへ汚染物質の吸収量をアップロードするように構成されたアップロードモジュールと、前記サーバによりフィードバックされる前記吸収量のランキングリストを受信するように構成された第２の受信モジュールと、を更に備える。
【００３０】
本発明の実施形態の第６の側面によると、スマートマスクが提供される。スマートマスクは、プロセッサと、前記プロセッサによって実行可能な命令を記憶するように構成されたメモリと、を備え、前記プロセッサは、ユーザがスマートマスクを装着している間の装着時間を記録し、前記装着時間と前記装着時間の間の地域の空気質指数とに基づいて、汚染物質の吸収量を算出する端末へ、前記装着時間を送信するように構成されている。
【００３１】
本発明の実施形態の第７の側面によると、汚染物質の吸収量の算出装置が提供される。この装置は、スマートマスクの組込みセンサーによって記録され、前記スマートマスクによって送信された装着時間を受信する手段と、前記装着時間の間の地域の空気質指数を得る手段と、前記装着時間と前記装着時間の間の地域の空気質指数とに基づいて、汚染物質の吸収量を算出する手段と、を備える。
【発明の効果】
【００３２】
本発明の実施形態によると、技術的な解決手段は次のような有利な効果を奏するであろう。
【００３３】
スマートマスクの正面マスク部の内部に、フィルターとセンサーを順に配置することにより、外気から正面マスク部に入る汚染物質を吸収すること、及び、スマートマスクの装着時間を記録することが可能となる。スマートマスクによって記録された装着時間と、装着時間の間に得られた地域の空気質指数とに基づいて、スマートマスクを装着している間の汚染物質の吸収量を算出することができ、ユーザにより直感的に空気の状態を表示することができる。
【００３４】
前述の一般的な記述と次に続く詳細な記述の両方は、例示および説明のためのものであり、本発明の開示を制限するものではないと理解されるべきである。
【図面の簡単な説明】
【００３５】
本明細書に取り入れられその一部を構成する添付図面は、本発明と整合する実施形態を例示し、詳細な説明とともに本発明の原理を説明するのに役立つものである。
【００３６】
【図１】例となる実施形態に係るスマートマスクの構成図である。
【００３７】
【図２Ａ】例となる実施形態に係る主マスク部の構成図である。
【００３８】
【図２Ｂ】例となる実施形態に係る正面マスク部の構成図である。
【００３９】
【図２Ｃ】例となる実施形態に係る正面マスク部の構成図である。
【００４０】
【図３】例となる実施形態に係る汚染物質の吸収量の算出方法のフローチャートである。
【００４１】
【図４】例となる実施形態に係る汚染物質の吸収量の算出方法のフローチャートである。
【００４２】
【図５】例となる実施形態に係る汚染物質の吸収量の算出方法のフローチャートである。
【００４３】
【図６】例となる実施形態に係るスマートマスクのブロック図である。
【００４４】
【図７】例となる実施形態に係る汚染物質の吸収量の算出装置のブロック図である。
【００４５】
【図８】例となる実施形態に係る汚染物質の吸収量の算出装置のブロック図である。
【発明を実施するための形態】
【００４６】
例となる実施形態や添付図面において図示される例へ詳細に言及を行う。以下の記述では添付図面へ言及する。添付図面において、異なる図面の同一の符号は、他に示されなければ、同一の又は類似する構成要素を示す。例となる実施形態の以下の記述において明らかにされる実装は、本発明と整合する全ての実装を表すものではない。そうではなく、それらは、添付の特許請求の範囲に列挙される本発明に関連する観点と整合する装置及び方法の単なる例示にすぎない。
【００４７】
本発明の実施形態はスマートマスクを提供する。図１を参照すると、スマートマスクは、正面マスク部１０１と、主マスク部１０２と、固定用ストラップ１０３とを備える。
【００４８】
図２Ａを参照すると、主マスク部１０２は、第１の開口端１０２１と第２の開口端１０２２とを備え、第１の開口端１０２１の直径は、第２の開口端１０２２の直径より小さい。正面マスク部１０１は、主マスク部の第１の開口端１０２１に配置され、固定用ストラップ１０３は、主マスク部の第２の開口端１０２２に配置される。
【００４９】
図２Ｂを参照すると、正面マスク部１０１は、内部にフィルター１０１１とセンサー１０１２が順に備えられ、フィルター１０１１は、外気から正面マスク部１０１に入る汚染物質を吸収するように構成され、センサー１０１２は、スマートマスクの装着時間を記録するように構成されている。
【００５０】
固定用ストラップ１０３は、第２の開口端１０２２を介してユーザの鼻と口の上にスマートマスクを固定して、主マスク部１０２と鼻及び口との間に閉じた空洞を形成するように構成されている。
【００５１】
本発明の別の実施形態では、センサー１０１２は、圧力センサー又はタッチ力センサーなどでもよい。この実施形態では、センサーの特定の種類を定めない。
【００５２】
本発明の別の実施形態では、正面マスク部１０１は、内部にプロセッサ１０１３とバッテリー１０１４を備える。図２Ｃを参照すると、プロセッサ１０１３とバッテリー１０１４は、正面マスク部１０１の内壁に配置される。プロセッサ１０１３は、少なくとも、プリント回路基板（ＰＣＢ）及びシングルチップマイクロコンピュータにより集積された集積回路基板と、接続モジュールとを備える。プロセッサ１０１３は、スマートマスクの制御の中心であり、センサーを制御してスマートマスクの装着時間を記録し、接続モジュールと他の端末とのペアリング接続を制御する。バッテリー１０１４は、プロセッサ１０１３に電力を供給する。
【００５３】
本発明の別の実施形態では、接続モジュールは、bluetooth（登録商標）、赤外線モジュール、近距離無線通信（ＮＦＣ）モジュールのいずれか１つを含む。
【００５４】
フィルターとセンサーを順に正面マスク部の内部に配置することにより、本発明の実施形態に係るスマートマスクは、外気から正面マスク部に入る汚染物質を吸収するだけでなく、スマートマスクの装着時間も記録できる。
【００５５】
図３は、例となる実施形態に係る汚染物質の吸収量の算出方法のフローチャートである。図３に示すように、本方法は、スマートマスクに適用され、次のステップを含む。
【００５６】
ステップ３０１において、ユーザがスマートマスクを装着する際に、装着時間が記録される。
【００５７】
ステップ３０２において、装着時間と装着時間の間の地域の空気質指数とに基づいて、汚染物質の吸収量を算出する端末に、装着時間が送信される。
【００５８】
ユーザがスマートマスクを装着する間の装着時間を記録し、装着時間と装着時間の間の地域の空気質指数とに基づいてスマートマスクを装着している間の汚染物質の吸収量を算出する端末に装着時間を送信することによって、本発明の実施形態に係る方法は、直感的にユーザに地域の空気の状態を示せるであろう。
【００５９】
本発明の別の実施形態においては、装着時間を端末へ送信する前に、本方法は、更に、bluetooth（登録商標）信号を介して端末との接続を確立するためにbluetooth（登録商標）機能を開始すること、又は、ＮＦＣデータチャネルを介して端末との接続を確立するためにＮＦＣ機能を開始すること、又は、赤外線信号を介して端末との接続を確立するために赤外線機能を開始すること、を含む。
【００６０】
上述の代替的な技術的な解決手段は、任意の組み合わせにおいて、本発明の代替的な実施形態を形成するであろうが、ここでは、詳細には説明しない。
【００６１】
図４は、例となる実施形態に係る汚染物質の吸収量の算出方法のフローチャートである。図４に示すように、本方法は、端末に適用され、次のステップを含む。
【００６２】
ステップ４０１において、スマートマスクにより送信された装着時間が受信される。ここで、装着時間はスマートマスクの組込みセンサーによって記録される。
【００６３】
ステップ４０２において、装着時間の間の地域の空気質指数を得る。
【００６４】
ステップ４０３において、装着時間と装着時間の間の地域の空気質指数とに基づいて、汚染物質の吸収量が算出される。
【００６５】
本発明の実施形態に係る方法によって、スマートマスクを装着している間の汚染物質の吸収量が、スマートマスクによって記録された装着時間と装着時間の間に得られた地域の空気質指数とに基づいて算出されるので、地域の空気の状態が直感的にユーザに示されるであろう。
【００６６】
本発明の別の実施形態においては、スマートマスクにより送信される装着時間を受信する前に、本方法は、更に、bluetooth（登録商標）信号を介してスマートマスクとの接続を確立するためにbluetooth（登録商標）機能を開始すること、又は、ＮＦＣデータチャネルを介してスマートマスクとの接続を確立するためにＮＦＣ機能を開始すること、又は、赤外線信号を介してスマートマスクとの接続を確立するために赤外線機能を開始すること、を含む。
【００６７】
本発明の別の実施形態においては、装着時間の間に地域の空気質指数を得るステップは、インターネットを介して装着時間の間の地域の空気質指数を得ること、又は、組込みの空気センサによって装着時間の間の地域の空気質指数を得ること、を含む。
【００６８】
本発明の別の実施形態のおいては、装着時間と装着時間の間の地域の空気質指数とに基づいて汚染物質の吸収量を算出するステップは、第１の単位時間においてユーザの呼吸量を得ることと、装着時間と装着時間の間の地域の空気質指数と第１の単位時間におけるユーザの呼吸量とに基づいて汚染物質の総量を算出することと、汚染物質の総量とスマートマスクのフィルターの濾過効率とに基づいて汚染物質の吸収量を得ること、を含む。
【００６９】
本発明の別の実施形態においては、第１の単位時間においてユーザの呼吸量を得るステップは、第２の単位時間において、呼吸数と各呼吸での呼吸量を含む、ユーザの呼吸パラメータを得ることと、第２の単位時間における呼吸数と各呼吸での呼吸量とに基づいて第１の単位時間におけるユーザの呼吸量を算出すること、を含む。
【００７０】
本発明の別の実施形態においては、第２の単位時間においてユーザの呼吸パラメータを得るステップは、ユーザの動作状態を得ることと、ユーザの動作状態に基づいて第２の単位時間におけるユーザの呼吸パラメータを決定すること、を含む。
【００７１】
本発明の別の実施形態においては、ユーザの動作状態を得るステップは、ウェアラブルデバイスにより送信されたユーザの生理的なパラメータを受信し、生理的なパラメータに基づいてユーザの動作状態を決定すること、又は、組込みの重力センサにより得られた端末の動作状態に基づいてユーザの動作状態を決定すること、又は、組込みの速度センサにより検出されたユーザの動作速度に基づいてユーザの動作状態を決定すること、を含む。
【００７２】
本発明の別の実施形態においては、汚染物質の吸収量を算出した後、本方法は、更に、他の端末によりアップロードされた汚染物質の吸収量に基づいて吸収量のランキングリストを決定し、吸収量のランキングリストをフィードバックするサーバへ、汚染物質の吸収量をアップロードすることと、サーバによりフィードバックされる吸収量のランキングリストを受信すること、を含む。
【００７３】
本発明の実施形態に係る方法は、スマートマスクによって記録された装着時間と装着時間の間に得られた地域の空気質指数とに基づいて、スマートマスクを装着している間の汚染物質の吸収量を算出し、更に地域の空気の状態をユーザに直感的に示すであろう。
【００７４】
上述の代替的な技術的な解決手段は、任意の組み合わせにおいて、本発明の代替的な実施形態を形成するであろうが、詳細には説明しない。
【００７５】
図５は、例となる実施形態に係る汚染物質の吸収量の算出方法のフローチャートである。図５に示すように、本方法は、端末及びスマートマスクに適用され、次のステップを含む。
【００７６】
ステップ５０１において、スマートマスクは、ユーザがスマートマスクを装着する間の装着時間を記録する。
【００７７】
スマートマスクは、内部において、圧力センサー、又は、タッチ力センサーなどであるセンサーを備えられる。ユーザがスマートマスクを装着すると、スマートマスクの固定用ストラップがスマートマスクをユーザの鼻及び口の上に固定する。このような場合、鼻及び口はセンサーに触れ、したがって、センサーが圧力の変化を検出し、圧力が変化した時点を記録する。ユーザがスマートマスクをはずすと、センサーは圧力がないことを検出し、圧力がゼロになった時点を記録する。この実施形態において、圧力変化の時点と圧力がゼロになる時点との間の時間は、ユーザがスマートマスクを装着する間の装着時間である。装着時間の単位は時間、分、又は秒であってもよい。この実施形態は、１時間を単位として装着時間を例示している。
【００７８】
ステップ５０２において、スマートマスクによって装着時間が端末に送信される。
【００７９】
スマートマスクのプロセッサは、内部に（例えば、bluetooth（登録商標）モジュール、ＮＦＣモジュール、又は、赤外線モジュールなどのような）接続モジュールを提供され、携帯電話、又は、タブレットコンピュータなどのような接続機能を持つ端末との接続を確立するように構成されている。
【００８０】
様々な種類の接続モジュールに関して、スマートマスクと端末とを接続する方法は、以下の方法を含むが、これらに限られるものではない。
【００８１】
第１の方法：スマートマスクと端末の両方が、bluetooth（登録商標）機能を開始し、デバイス発見ステージにおいてお互いを発見する。その後、スマートマスクは、bluetooth（登録商標）信号をブロードキャストし、端末は、スマートマスクによってブロードキャストされたbluetooth（登録商標）信号を受信した後、その信号に基づいてスマートマスクとの接続を確立する。
【００８２】
第２の方法：スマートマスクと端末の両方が、ＮＦＣ機能を開始する。ＮＦＣデータチャネルは、データパッケージを送信することにより確立される。スマートマスクと端末は、ＮＦＣデータチャネルに基づいてお互いに接続する。
【００８３】
第３の方法：スマートマスクと端末の両方が、赤外線機能を開始し、デバイス発見ステージにおいてお互いを発見する。その後、スマートマスクは、赤外線信号を送信し、端末は、スマートマスクによって送信された赤外線信号を受信した後、その信号に基づいてスマートマスクとの接続を確立する。
【００８４】
もちろん、スマートマスクと端末との間の接続を確立する他の方法があるが、ここでは詳細には説明しない。
【００８５】
端末との接続に基づいて、スマートマスクは、端末へ装着時間を送信する。もしその接続がスマートマスクと端末とのbluetooth（登録商標）接続であるならば、スマートマスクは、bluetooth（登録商標）接続を通して端末に装着時間を送信する。もしその接続がスマートマスクと端末とのＮＦＣデータチャネルであるならば、スマートマスクは、ＮＦＣデータチャネルを通して端末に装着時間を送信する。もしその接続がスマートマスクと端末と赤外線接続であるならば、スマートマスクは、赤外線接続を通して端末に装着時間を送信する。
【００８６】
ステップ５０３において、端末は、スマートマスクによって送信された装着時間を受信した際に、装着時間の間の地域の空気質指数を得る。
【００８７】
空気質指数は、空気中の微粒子、ＳＯ２、ＮＯ２、オゾン、及び、ＣＯの濃度を表し、１立方メートル当たりのマイクログラムの単位である。スマートマスクによって送信された装着時間を受信した際に、端末は、ＧＰＳ（Global Positioning System）により自分の位置を決定し、したがって、装着時間と端末の位置とに基づいて、インターネットから装着時間の間の地域の空気質指数を得る。端末は、ＧＰＳデータに基づいて、地域の観測所によって開放されたデータを呼び出すことによって、装着時間の間の地域の空気質指数を得てもよい。また、端末は、組込みの空気センサーを介して端末の位置での一日中の空気質指数を監視してもよく、監視した空気質指数をデータベースに記憶して、そうして端末は、スマートマスクによって送信された装着時間を受信した後、データベースから装着時間の間の地域の空気質指数を得てもよい。
【００８８】
ステップ５０４において、端末は、装着時間と装着時間の間の地域の空気質指数とに基づいて、汚染物質の吸収量を算出する。
【００８９】
実際の応用では、スマートマスクの汚染物質の吸収量は、装着時間と装着時間の間の地域の空気質指数とに関連するだけでなく、スマートマスクの濾過性能にも関連する。結果として、スマートマスクの汚染物質の吸収量の算出の精度を改善するためには、装着時間、装着時間の間の地域の空気質指数、及び、スマートマスクの濾過性能を含むいくつかの要因が一緒に考慮されるであろう。この実施形態においては、スマートマスクの濾過性能は、主にスマートマスクのフィルターの濾過効率のことを言っている。
【００９０】
具体的には、端末は、装着時間、装着時間の間の地域の空気質指数、及び、スマートマスクのフィルターの濾過効率に基づいて汚染物質の吸収量を算出するために、次のステップ（１）から（３）を従う。
【００９１】
ステップ（１）：端末は、第１の単位時間においてユーザの呼吸量を得る。
【００９２】
第１の単位時間は、１時間、１分、又は１秒であってよい。第２の単位時間は、１分又は１秒であってもよい。この実施形態では、第1の単位時間が１時間であり、第２の単位時間が１分である例を例示している。この呼吸量は、第１の単位時間においてユーザにより呼吸された空気量を表し、第１の単位時間におけるユーザの呼吸パラメータと関連づけられる。この呼吸パラメータは、呼吸数と各呼吸の呼吸量を含む。
【００９３】
端末は、第１の単位時間のおいて、ユーザの呼吸量を得るために、次のステップ（１．１）から（１．２）を用いる。
【００９４】
ステップ（１．１）：端末は、第２の単位時間におけるユーザの呼吸パラメータを得る。
【００９５】
毎分の呼吸数と各呼吸の呼吸量は、一般に、ユーザの動作状態と関係し、動作がより激しければ激しいほど、毎分の呼吸数はより多くなり、各呼吸の呼吸量はより大きくなる。例えば、ユーザがジョギングをしている場合、毎分の呼吸数が２０であり、各呼吸の呼吸量が０．６リットルであり、ユーザがウォーキングをしている場合、毎分の呼吸数が１５であり、各呼吸の呼吸量が０．５リットルである。このように、端末は毎分ごとの呼吸数と各呼吸の呼吸量とを得るために、まずユーザの動作状態を得る。
【００９６】
具体的には、端末は、ユーザの動作状態を以下の方法で得るが、これに限られるものではない。
【００９７】
本発明の実施形態においては、ウェアラブルデバイスは内部にセンサーを備えられ、したがって、組込みセンサーを介してユーザの様々な生理的なパラメータを検出する。ユーザの動作状態は、検出した生理的なパラメータに基づいて決定される。具体的には、ウェアラブルデバイスは、ユーザの動作の範囲と手足と胴体の動作の周波数とを検出し、検出された動作の範囲と動作の周波数とに基づいて、ユーザの動作状態を決定する。例えば、ウェアラブルデバイスが動作の範囲が大きく、動作周波数が高いと検出した場合、ユーザが激しい運動に従事していると決定されるであろう。また、ウェアラブルデバイスが動作の範囲が小さく、動作周波数が低いと検出した場合、ユーザが穏やかな運動に従事していると決定されるであろう。ウェアラブルデバイスは、ユーザの呼吸率を検出し、それによってユーザの動作状態を決定する。例えば、ウェアラブルデバイスがユーザが呼吸を切らしており呼吸率が高いということを検出した場合、ユーザが激しい運動に従事していると決定されるであろう。ウェアラブルデバイスがユーザが穏やかに呼吸しており呼吸率が低いということを検出した場合、ユーザが穏やかな運動に従事していると決定されるであろう。ウェアラブルデバイスの機能に基づいて、ユーザがウェアラブルデバイスを装着すると、端末は、ウェアラブルデバイスにより送信され受信するユーザの生理的なパラメータに基づいて、ユーザの動作状態を決定する。
【００９８】
本発明の別の実施形態においては、端末は、内部に、端末自身の重心の移動を検出する重力センサーを備えられていてもよい。端末は、重力センサーによって検出された重心の移動に基づいて、端末自身の動作状態を得る。一般に、端末の動作状態は、ユーザの動作状態を反映するので、端末は、重力センサーによって検出された重心の移動に基づいて、ユーザの動作状態を決定する。
【００９９】
本発明の別の実施形態においては、端末は、内部に、ユーザの動作速度を検出し、それによってユーザの動作状態を決定する速度センサーを備えられていてもよい。例えば、もしユーザの動作速度が速いと検出されたならば、ユーザは、ランニングやバトミントンをしているなど、激しい運動に従事していると決定されるであろう。また、もしユーザの動作速度が遅いと検出されたならば、ユーザは、ウォーキングのような穏やかな運動に従事していると決定されるであろう。
【０１００】
一般に、毎分の呼吸数と各呼吸の呼吸量とは、様々な動作状態ごとに一定であるので、端末は、ユーザの動作状態に基づいて、毎分の呼吸数と各呼吸の呼吸量とを決定してもよい。表１は、様々な動作状態におけるユーザの呼吸パラメータを示している。
【表１】
2017536525.tif 000003
【０１０１】
表１に載せたユーザの呼吸パラメータによると、ユーザの動作状態がウォーキングならば、毎分の呼吸数は１５で、各呼吸の呼吸量は０．５リットルであると知ることができる。
【０１０２】
ステップ（１．２）：端末は、ユーザの第２の単位時間における呼吸数と各呼吸の呼吸量とに基づいて、第１の単位時間におけるユーザの呼吸量を算出する。
【０１０３】
この実施形態においては、毎時間の呼吸量は、第２の単位時間における呼吸数と各呼吸の呼吸量とに基づいて、式（Ｉ）により算出される。
【０１０４】
式（Ｉ）：毎時間の呼吸量（リットル）＝各呼吸の呼吸量（リットル）＊毎分の呼吸数＊６０
【０１０５】
汚染物質の吸収量は、一般に、単位として立方メートルで算出される。以下に続く計算の便宜のため、この実施形態では、毎時間の呼吸量の単位をリットルから立方メートルへ変換する。この場合において、式（Ｉ）に基づいて０．００１が乗され、式（ＩＩ）が得られる。
【０１０６】
式（ＩＩ）：毎時間の呼吸量（ｍ３）＝各呼吸の呼吸量（リットル）＊毎分の呼吸数＊６０＊０．００１
【０１０７】
表１を例にとる。もし端末がユーザがジョギングをしている決定すると、毎分の呼吸数は２０であり、各呼吸の呼吸量は０．６リットルであるので、毎時間の呼吸量＝各呼吸の呼吸量＊毎分の呼吸数＊６０＝０．６＊２０＊６０＊０．００１＝０．７２ｍ３と算出される。
【０１０８】
ステップ（２）：端末は、装着時間、装着時間の間の地域の空気質指数、及び、第１の単位時間におけるユーザの呼吸量に基づいて、汚染物質の総量を算出する。
【０１０９】
この実施形態においては、汚染物質の総量は、装着時間、装着時間の間の地域の空気質指数、及び、第１の単位時間におけるユーザの呼吸量に基づいて、式（ＩＩＩ）により算出される。
【０１１０】
式（ＩＩＩ）：汚染物質の総量（ｍ３）＝装着時間（時間）＊空気質指数（μｇ／ｍ３）＊毎時間の呼吸量（ｍ３）
【０１１１】
例えば、もしユーザが２時間スマートマスクを装着し、空気質指数は０．５μｇ／ｍ３であり、各時間の呼吸量が０．８ｍ３であるならば、汚染物質の総量＝装着時間＊空気質指数＊毎時間の呼吸量＝２＊０．５μｇ／ｍ３＊０．８ｍ３＝０．８μｇと算出される。
【０１１２】
ステップ（３）：端末は、汚染物質の総量、及び、スマートマスクのフィルターの濾過効率に基づいて、汚染物質の吸収量を算出する。
【０１１３】
この実施形態においては、汚染物質の吸収量は、汚染物質の総量、及び、スマートマスクのフィルターの濾過効率に基づいて、式（ＩＶ）によって算出される。
【０１１４】
式（ＩＶ）：汚染物質の吸収量（μｇ）＝汚染物質の総量（μｇ）＊フィルターの濾過効率（％）
【０１１５】
例えば、汚染物質の総量が０．８μｇであり、フィルターの濾過効率が８０％であるならば、汚染物質の吸収量＝０．８μｇ＊８０％＝０．６４μｇと算出される。
【０１１６】
ユーザに対してスマートマスクの汚染物質の吸収効果を直感的に示すために、汚染物質の吸収量を算出した後、端末は、汚染物質の吸収量をサーバへアップロードする。サーバは、他の端末によってアップロードされた汚染物質の吸収量に基づいて吸収量のランキングリストを決定し、端末へ吸収量のランキングリストを送信する。端末は、サーバから吸収量のランキングリストを受信した後、ユーザにランキングリストを提示する。その結果、ユーザは、スマートマスクの吸収性能と地域の空気質の状態の直観的な理解を得るだろう。
【０１１７】
本発明の実施形態に係る方法は、スマートマスクによって記録された装着時間と装着時間の間に得られた地域の空気質指数とに基づいて、スマートマスクを装着している間の汚染物質の吸収量を算出し、それゆえ地域の空気の状態をユーザに直感的に示すであろう。
【０１１８】
図６は、例となる実施形態に係るスマートマスクのブロック図である。図６を参照すると、スマートマスクは、記録モジュール６０１と送信モジュール６０２とを備える。
【０１１９】
記録モジュール６０１は、ユーザがスマートマスクを装着している間の装着時間を記録するように構成されており、送信モジュール６０２は、装着時間と装着時間の間の地域の空気質指数とに基づいて汚染物質の吸収量を算出する端末へ、装着時間を送信するように構成されている。
【０１２０】
本発明の別の実施形態においては、スマートマスクは、接続モジュールを備える。
【０１２１】
接続モジュールは、bluetooth（登録商標）信号を介して端末との接続を確立するためにbluetooth（登録商標）機能を開始するように構成されている。又は、接続モジュールは、ＮＦＣデータチャネルを介して端末との接続を確立するためにＮＦＣ機能を開始するように構成されている。又は、接続モジュールは、赤外線信号を介して端末との接続を確立するために赤外線機能を開始するように構成されている。
【０１２２】
本発明に係るスマートマスクによれば、ユーザがスマートマスクを装着している間の装着時間を記録し、装着時間と装着時間の間の地域の空気質指数とに基づいて、汚染物質の吸収量を算出する端末へ装着時間を送信することにより、直感的にユーザに地域の空気の状態を示すことができる。
【０１２３】
この実施形態のスマートマスクに関して、各モジュールによって操作を実行する特定の方法が、方法の実施形態において例示されたが、ここでは、更に詳述はしない。
【０１２４】
図７は、例となる実施形態に係る汚染物質の吸収量の算出装置のブロック図である。図７を参照すると、装置は、第１の受信モジュール７０１と取得モジュール７０２と算出モジュール７０３とを備える。
【０１２５】
第１の受信モジュール７０１は、スマートマスクによって送信された装着時間を受信するように構成されている。ここで、装着時間は、スマートマスクの組込みセンサーによって記録される。取得モジュール７０２は、装着時間の間の地域の空気質指数を得るように構成されている。算出モジュール７０３は、装着時間と装着時間の間の地域の空気質指数とに基づいて、汚染物質の吸収量を算出するように構成されている。
【０１２６】
本発明の別の実施形態においては、装置は、更に接続モジュールを含む。
【０１２７】
接続モジュールは、bluetooth（登録商標）信号を介してスマートマスクとの接続を確立するためにbluetooth（登録商標）機能を開始するように構成されている。又は、接続モジュールは、ＮＦＣデータチャネルを介してスマートマスクとの接続を確立するためにＮＦＣ機能を開始するように構成されている。又は、接続モジュールは、赤外線信号を介してスマートマスクとの接続を確立するために赤外線機能を開始するように構成されている。
【０１２８】
本発明の別の実施形態においては、取得モジュール７０２は、インターネットを介して装着時間の間の地域の空気質指数を得るように構成されている。又は、取得モジュール７０２は、組込みの空気センサーによって装着時間の間の地域の空気質指数を得るように構成されている。
【０１２９】
本発明の別の実施形態のおいては、算出モジュール７０３は、第１の単位時間においてユーザの呼吸量を得て、装着時間と装着時間の間の地域の空気質指数と第１の単位時間におけるユーザの呼吸量とに基づいて汚染物質の総量を算出し、汚染物質の総量とスマートマスクのフィルターの濾過効率とに基づいて汚染物質の吸収量を得るように構成されている。
【０１３０】
本発明の別の実施形態においては、算出モジュール７０３は、第２の単位時間において、呼吸数と各呼吸での呼吸量を含む、ユーザの呼吸パラメータを得て、
第２の単位時間における呼吸数と各呼吸での呼吸量とに基づいて第１の単位時間におけるユーザの呼吸量を算出するように構成されている。
【０１３１】
本発明の別の実施形態においては、算出モジュール７０３は、ユーザの動作状態を得て、ユーザの動作状態に基づいて第２の単位時間におけるユーザの呼吸パラメータを決定するように構成されている。
【０１３２】
本発明の別の実施形態においては、算出モジュール７０３は、ウェアラブルデバイスにより送信されたユーザの生理的なパラメータを受信し、生理的なパラメータに基づいてユーザの動作状態を決定するように構成されている。又は、算出モジュール７０３は、具体的には、組込みの重力センサーにより得られた端末の動作状態に基づいてユーザの動作状態を決定するように構成されている。又は、算出モジュール７０３は、具体的には、組込みの速度センサーにより検出されたユーザの動作速度に基づいてユーザの動作状態を決定するように構成されている。
【０１３３】
本発明の別の実施形態においては、装置は、更にアップローディングモジュールと第２の受信モジュールとを備える。
【０１３４】
アップローディングモジュールは、他の端末によりアップロードされた汚染物質の吸収量に基づいて吸収量のランキングリストを決定し、吸収量のランキングリストをフィードバックするサーバへ、汚染物質の吸収量をアップロードするように構成されている。第２の受信モジュールは、サーバによりフィードバックされる吸収量のランキングリストを受信するように構成されている。
【０１３５】
本発明の実施形態に係る装置は、スマートマスクによって記録された装着時間と装着時間の間に得られた地域の空気質指数とに基づいて、スマートマスクを装着している間の汚染物質の吸収量を算出し、それゆえ地域の空気の状態をユーザに直感的に示すであろう。
【０１３６】
この実施形態の装置に関して、各モジュールによって操作を実行する特定の方法が、方法の実施形態において例示されたが、ここでは、更に詳述はしない。
【０１３７】
図８は、例となる実施形態に係る汚染物質の吸収量の算出装置８００のブロック図である。例えば、装置８００は、携帯電話、コンピュータ、デジタル放送端末、メッセージ送受信装置、ゲームコントローラ、タブレット装置、医療装置、フィットネス機器、携帯情報端末などである。
【０１３８】
図８を参照すると、装置８００は、１つ又はより多くの以下の構成要素を含んでもよい。それらの構成要素は、処理部８０２、メモリ８０４、電源部８０６、マルチメディア部８０８、オーディオ部８１０、入出力（Ｉ／Ｏ）インタフェース８１２、センサー部８１４、及び通信部８１６である。
【０１３９】
処理部８０２は、一般的に、表示、電話呼出し、データ通信、カメラ操作及び記録動作に関連する動作のような装置８００全体の動作を制御する。処理部８０２は、前述した実現方法における全て又は一部のステップを行うための命令を実行するために、１つ又はより多くのプロセッサ８２０を含んでも良い。更に、処理部８０２は、処理部８０２と他の構成要素との間のインタフェースを容易にするための１つ又はより多くのモジュールを含んでも良い。例えば、処理部８０２は、マルチメディア部８０８と処理部８０２との間のインタフェースを容易にするためのマルチメディアモジュールを含んでも良い。
【０１４０】
メモリ８０４は、装置８００の動作を支援するための様々な種類のデータを記憶するように構成される。そのようなデータの例は、装置８００において動作される任意のアプリケーションまたは方法のための命令、連絡先データ、電話帳データ、メッセージ、写真、ビデオ等を含む。メモリ８０４は、スタティックランダムアクセスメモリ（ＳＲＡＭ）、電気的に消去可能なプログラマブル読出専用メモリ（ＥＥＰＲＯＭ）、消去可能なプログラマブル読出専用メモリ（ＥＰＲＯＭ）、プログラマブル読出専用メモリ（ＰＲＯＭ）、読出専用メモリ（ＲＯＭ）、磁気メモリ、フラッシュメモリ、磁気又は光学ディスクのように、任意の種類の揮発性若しくは不揮発性記憶装置、又はそれらの組合せを用いて実装されても良い。
【０１４１】
電源部８０６は、装置８００の様々な構成要素に電力を供給するように構成される。電源部８０６は、電源管理システム、１つ又はより多くの電源、並びに装置８００において電力の発生、管理及び分配に関連する他の構成要素を含んでも良い。
【０１４２】
マルチメディア部８０８は、装置８００とユーザとの間の外部インタフェースを提供するように構成される画面を含む。いくつかの実施形態では、画面は、液晶ディスプレイ（ＬＣＤ）及びタッチパネル（ＴＰ）を含んでも良い。画面がタッチパネルを含む場合、その画面はユーザから入力信号を受信するタッチ画面として実装されても良い。タッチパネルは、タッチパネル上のタッチ、スワイプ及びジェスチャーを検出するための１つ又はより多くのタッチセンサーを含む。タッチセンサーは、タッチ又はスワイプ操作の境界を検出するだけでなく、タッチ又はスワイプ操作に関連する期間及び圧力も検出する。いくつかの実施形態では、マルチメディア部８０８は、正面のカメラ及び／又は背面のカメラを含む。正面のカメラ及び背面のカメラは、装置８００が写真撮影モード又はビデオモードのような動作モードの時、外部のマルチメディアデータを受信するようにしても良い。正面のカメラ及び背面のカメラのそれぞれが、固定焦点レンズシステムでも良いし、又はフォーカス及び光学ズーム性能を有しても良い。
【０１４３】
オーディオ部８１０は、オーディオ信号を出力及び／又は入力するように構成される。例えば、オーディオ部８１０は、装置８００が電話モード、記録モード及び音声認識モードのような動作モードの時、外部オーディオ信号を受信するように構成されるマイクロフォン（「ＭＩＣ」）を含む。受信されるオーディオ信号は、更にメモリ８０４に記憶されても良いし、又は通信部８１６を介して送信されるようにしても良い。いくつかの実施形態では、オーディオ部８１０は、更にオーディオ信号を出力するためのスピーカを含む。
【０１４４】
Ｉ／Ｏインタフェース８１２は、キーボード、クリックホイール、ボタンなどのような周辺装置インタフェースモジュールと処理部８０２の間のインタフェースを提供する。ボタンは、これらに限定されるわけではないが、ホームボタン、ボリュームボタン、スタートボタン及びロックボタンを含んでも良い。
【０１４５】
センサー部８１４は、装置８００の様々な面の状態評価を提供するための１つ又はより多くのセンサーを含む。例えば、センサー部８１４は、装置８００の開／閉状態、構成要素（例えば、装置８００のディスプレイ画面及びキーパッド）の相対位置を検出しても良い。更に、センサー部８１４は、装置８００又は装置８００の構成要素の位置の変化、装置８００に対するユーザ接触の存在又は不存在、装置８００の方向又は加速／減速、及び装置８００の温度の変化を検出しても良い。センサー部８１４は、物理的な接触なしに近傍の物体の存在を検出するように構成される近接センサーを含んでも良い。また、センサー部８１４は、画像アプリケーションの用途のために、ＣＭＯＳ又はＣＣＤ画像センサーのような光センサーを含んでも良い。また、いくつかの実施形態では、センサー部８１４は、加速度センサー、ジャイロセンサー、磁気センサー、圧力センサー、又は温度センサーを含んでも良い。
【０１４６】
通信部８１６は、装置８００と他の端末との間の有線又は無線の通信を容易にするように構成される。装置８００は、ＷｉＦｉ、２Ｇ或いは３Ｇ、又はそれらの組合せのような通信規格に基づく無線ネットワークにアクセスすることができる。ある例となる実施形態では、通信部８１６は、放送チャネルを介して外部放送管理システムからの放送信号又は放送関連情報を受信する。ある例となる実施形態では、通信部８１６は、更に短距離の通信を容易にするための近距離無線通信（ＮＦＣ）モジュールを含む。例えば、ＮＦＣモジュールは、無線ＩＤ（ＲＦＩＤ）技術、赤外線通信規格（ＩｒＤＡ）技術、超広域無線(ＵＷＢ)技術、Bluetooth(登録商標)（ＢＴ）技術、又はその他の技術に基づいて実装されても良い。
【０１４７】
例となる実施形態では、装置８００は、前述の実現方法を行うために、特定用途向け集積回路（ＡＳＩＣｓ）、デジタルシグナルプロセッサ（ＤＳＰｓ）、デジタルシグナルプロセッシングデバイス（ＤＳＰＤｓ）、プログラマブルロジックデバイス（ＰＬＤｓ）、フィールドプログラマブルゲートアレイ（ＦＰＧＡｓ）、コントローラ、マイクロコントローラ、マイクロプロセッサ、又はそのほかの電子部品のような１つ又はより多くの電子的要素によって実装されても良い。
【０１４８】
例となる実施形態では、前述の方法を行うために、装置８００の中のメモリ８０４に含まれ、プロセッサ８２０によって実行される命令を含む非一時的なコンピュータ読み取り可能な記憶媒体も提供される。例えば、非一時的なコンピュータ読み取り可能な記憶媒体は、ＲＯＭ、ＲＡＭ、ＣＤ−ＲＯＭ、磁気テープ、フロッピー（登録商標）ディスク、光学データ記憶装置などであっても良い。
【０１４９】
非一時的なコンピュータ読み取り可能な記憶媒体はその中に命令を記憶し、モバイル端末のプロセッサによって命令を実行する時、モバイル端末に汚染物質の吸収量の算出方法を実行させる。その方法は、スマートマスクの組込みセンサーによって記録され、スマートマスクによって送信された装着時間を受信することと、装着時間の間の地域の空気質指数を得ることと、装着時間及び装着時間の間の地域の空気質指数に基づいて、汚染物質の吸収量を算出すること、を含む。
【０１５０】
本発明の別の実施形態においては、スマートマスクにより送信される装着時間を受信する前に、本方法は、更に、bluetooth（登録商標）信号を介してスマートマスクとの接続を確立するためにbluetooth（登録商標）機能を開始すること、又は、ＮＦＣデータチャネルを介してスマートマスクとの接続を確立するためにＮＦＣ機能を開始すること、又は、赤外線信号を介してスマートマスクとの接続を確立するために赤外線機能を開始すること、を含む。
【０１５１】
本発明の別の実施形態においては、装着時間の間に地域の空気質指数を得るステップは、インターネットを介して装着時間の間の地域の空気質指数を得ること、又は、組込みの空気センサによって装着時間の間の地域の空気質指数を得ること、を含む。
【０１５２】
本発明の別の実施形態のおいては、装着時間と装着時間の間の地域の空気質指数とに基づいて汚染物質の吸収量を算出するステップは、第１の単位時間においてユーザの呼吸量を得ることと、装着時間と装着時間の間の地域の空気質指数と第１の単位時間におけるユーザの呼吸量とに基づいて汚染物質の総量を算出することと、汚染物質の総量とスマートマスクのフィルターの濾過効率とに基づいて汚染物質の吸収量を得ること、を含む。
【０１５３】
本発明の別の実施形態においては、第１の単位時間においてユーザの呼吸量を得るステップは、第２の単位時間において、呼吸数と各呼吸での呼吸量を含む、ユーザの呼吸パラメータを得ることと、第２の単位時間における呼吸数と各呼吸での呼吸量とに基づいて第１の単位時間におけるユーザの呼吸量を算出すること、を含む。
【０１５４】
本発明の別の実施形態においては、第２の単位時間においてユーザの呼吸パラメータを得るステップは、ユーザの動作状態を得ることと、ユーザの動作状態に基づいて第２の単位時間におけるユーザの呼吸パラメータを決定すること、を含む。
【０１５５】
本発明の別の実施形態においては、ユーザの動作状態を得るステップは、ウェアラブルデバイスにより送信されたユーザの生理的なパラメータを受信し、生理的なパラメータに基づいてユーザの動作状態を決定すること、又は、組込みの重力センサにより得られた端末の動作状態に基づいてユーザの動作状態を決定すること、又は、組込みの速度センサにより検出されたユーザの動作速度に基づいてユーザの動作状態を決定すること、を含む。
【０１５６】
本発明の別の実施形態においては、汚染物質の吸収量を算出した後、本方法は、更に、他の端末によりアップロードされた汚染物質の吸収量に基づいて吸収量のランキングリストを決定し、吸収量のランキングリストをフィードバックするサーバへ、汚染物質の吸収量をアップロードし、サーバによりフィードバックされる吸収量のランキングリストを受信すること、を含む。
【０１５７】
スマートマスクによって記録された装着時間と装着時間の間に得られた地域の空気質指数とに基づいて、スマートマスクを装着している間の汚染物質の吸収量を算出することによって、本発明の実施形態に係る非一時的なコンピュータ読み取り可能な記憶媒体は、地域の空気の状態をユーザに直感的に示すであろう。
【０１５８】
発明の他の実施形態は、ここで開示された本発明の仕様や実例を考慮すれば、技術分野の当業者には明らかであろう。本出願は、本発明の一般原理に従う発明のいかなる変形例、使用、又は、適用をも伝えることを意図しており、技術分野において既知の又は慣例の実践の範囲内にある本発明からのそのような逸脱をも含む。仕様と実例は、例示としてのみ考慮されることを意図しており、発明の真の範囲と精神は、以下のクレームにより示されている。
【０１５９】
本発明は、上述し添付図面で説明したそのとおりの構成に限定されるものではなく、その範囲から逸脱することなく様々な修正および変更がなされることが可能であることが理解されるであろう。本発明の範囲は、添付の特許請求の範囲によってのみ限定される、ということが意図されている。
【符号の説明】
【０１６０】
１０１・・・・・正面マスク部
１０２・・・・・主マスク部
１０３・・・・・固定用ストラップ
１０１１・・・・フィルター
１０１２・・・・センサー
１０１３・・・・プロセッサ
１０１４・・・・バッテリー
１０２１・・・・第１の開口端
１０２２・・・・第２の開口端
６０１・・・・・記録モジュール
６０２・・・・・送信モジュール
７０１・・・・・第１の受信モジュール
７０２・・・・・取得モジュール
７０３・・・・・算出モジュール
８００・・・・・装置
８０２・・・・・処理部
８０４・・・・・メモリ
８０６・・・・・電源部
８０８・・・・・マルチメディア部
８１０・・・・・オーディオ部
８１２・・・・・入出力（Ｉ／Ｏ）インタフェース
８１４・・・・・センサー部
８１６・・・・・通信部
８２０・・・・・プロセッサ
【図１】
2017536525.tif 000004
【図２Ａ】
2017536525.tif 000005
【図２Ｂ】
2017536525.tif 000006
【図２Ｃ】
2017536525.tif 000007
【図３】
2017536525.tif 000008
【図４】
2017536525.tif 000009
【図５】
2017536525.tif 000010
【図６】
2017536525.tif 000011
【図７】
2017536525.tif 000012
【図８】
2017536525.tif 000013
【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
第１の開口端と第２の開口端とを備え、前記第１の開口端の直径は前記第２の開口端の直径より小さい主マスク部と、
前記主マスク部の前記第１の開口端に配置される正面マスク部と、
前記主マスク部の前記第２の開口端に配置される固定用ストラップと、
を備え、
前記正面マスク部は内部にフィルターとセンサーが順に備えられ、前記フィルターは前記正面マスク部に入る空気の汚染物質を吸収するように構成され、前記センサーはスマートマスクの装着時間を記録するように構成され、
前記固定用ストラップは前記第２の開口端を介してユーザの鼻及び口の上に前記スマートマスクを固定し、前記主マスク部と鼻及び口との間に閉じた空洞を形成するように構成されている
ことを特徴とするスマートマスク。
【請求項２】
前記センサーは、圧力センサー又はタッチ力センサーにより構成される
ことを特徴とする請求項１に記載のスマートマスク。
【請求項３】
前記正面マスク部は、内部にプロセッサとバッテリーを備え、
前記プロセッサは、接続モジュールと、少なくともプリント回路基板（ＰＣＢ）及びシングルチップマイクロコンピュータにより集積された集積回路基板とを備え、
前記バッテリーは、前記プロセッサに電力を供給するために用いられる
ことを特徴とする請求項１又は請求項２に記載のスマートマスク。
【請求項４】
前記プロセッサと前記バッテリーは、前記正面マスク部の内壁に配置される
ことを特徴とする請求項３に記載のスマートマスク。
【請求項５】
前記接続モジュールは、bluetooth（登録商標）モジュール、赤外線モジュール、及び、近距離無線通信（ＮＦＣ）モジュールの１つにより構成される
ことを特徴とする請求項３又は請求項４に記載のスマートマスク。
【請求項６】
請求項１乃至請求項５のいずれか１項に記載のスマートマスクに適用される汚染物質の吸収量の算出方法であって、
ユーザが前記スマートマスクを装着する間の装着時間を記録するステップと、
端末が前記装着時間と前記装着時間の間の地域の空気質指数とに基づいて汚染物質の吸収量を算出するために、前記端末へ前記装着時間を送信するステップと、
を含むことを特徴とする汚染物質の吸収量の算出方法。
【請求項７】
前記装着時間を前記端末へ送信するステップの前に、更に、
bluetooth（登録商標）信号を介して前記端末と接続を確立するためのbluetooth（登録商標）機能を開始するステップ、
ＮＦＣデータチャネルを介して前記端末と接続を確立するためのＮＦＣ機能を開始するステップ、又は、
赤外線信号を介して前記端末と接続を確立するための赤外線機能を開始するステップ
を含むことを特徴とする請求項６に記載の汚染物質の吸収量の算出方法。
【請求項８】
スマートマスクの組込みセンサーによって記録され、前記スマートマスクによって送信された装着時間を受信するステップと、
前記装着時間の間の地域の空気質指数を得るステップと、
前記装着時間と前記装着時間の間の地域の空気質指数とに基づいて汚染物質の吸収量を算出するステップと、
を含むことを特徴とする汚染物質の吸収量の算出方法。
【請求項９】
前記スマートマスクによって送信された前記装着時間を受信するステップの前に、更に、
bluetooth（登録商標）信号を介して前記スマートマスクと接続を確立するためのbluetooth（登録商標）機能を開始するステップ、
ＮＦＣデータチャネルを介して前記スマートマスクと接続を確立するためのＮＦＣ機能を開始するステップ、又は、
赤外線信号を介して前記スマートマスクと接続を確立するための赤外線機能を開始するステップ、
を含むことを特徴とする請求項８に記載の汚染物質の吸収量の算出方法。
【請求項１０】
前記装着時間の間の前記地域の空気質指数を得るステップは、
インターネットを介して前記装着時間の間の前記地域の空気質指数を得るステップ、又は、
組込みセンサーによって前記装着時間の間の前記地域の空気質指数を得るステップ、
を含むことを特徴とする請求項８又は請求項９に記載の汚染物質の吸収量の算出方法。
【請求項１１】
前記装着時間と前記装着時間の間の前記地域の空気質指数とに基づいて前記汚染物質の吸収量を算出するステップは、
第１の単位時間におけるユーザの呼吸量を得るステップと、
前記装着時間と前記装着時間の間の前記地域の空気質指数と前記第１の単位時間におけるユーザの前記呼吸量とに基づいて、汚染物質の総量を算出するステップと、
前記汚染物質の総量と前記スマートマスクのフィルターの濾過効率とに基づいて、汚染物質の吸収量を得るステップと、
を含むことを特徴とする請求項８乃至請求項１０のいずれか１項に記載の汚染物質の吸収量の算出方法。
【請求項１２】
前記第１の単位時間におけるユーザの前記呼吸量を得るステップは、
第２の単位時間におけるユーザの呼吸パラメータを得るステップと、
前記第２の単位時間の呼吸数と各呼吸の呼吸量とに基づいて、前記第１の単位時間におけるユーザの呼吸量を算出するステップと、を含み、
前記呼吸パラメータは、呼吸数と各呼吸の呼吸量とを含む
ことを特徴とする請求項１１に記載の汚染物質の吸収量の算出方法。
【請求項１３】
前記第２の単位時間におけるユーザの前記呼吸パラメータを得るステップは、
ユーザの動作状態を得るステップと、
ユーザの前記動作状態に基づいて、前記第２の単位時間におけるユーザの前記呼吸パラメータを決定するステップと、
を含むことを特徴とする請求項１２に記載の汚染物質の吸収量の算出方法。
【請求項１４】
ユーザの前記動作状態を得るステップは、
ウェアラブルデバイスによって送信されたユーザの生理的なパラメータを受信し、前記生理的なパラメータに基づいてユーザの前記動作状態を決定するステップ、
組込みの重力センサーによって得られた端末の動作状態に基づいて、ユーザの前記動作状態を決定するステップ、又は
組込みの速度センサーによって検出されたユーザの運動速度に基づいて、ユーザの前記動作状態を決定するステップ、
を含むことを特徴とする請求項１３に記載の汚染物質の吸収量の算出方法。
【請求項１５】
前記汚染物質の吸収量を算出するステップの後に、更に、
サーバが他の端末によってアップロードされた汚染物質の吸収量に基づいて吸収量のランキングリストを決定し、前記吸収量のランキングリストをフィードバックするために、前記サーバへ汚染物質の吸収量をアップロードするステップと、
前記サーバによりフィードバックされる前記吸収量のランキングリストを受信するステップと、
を含むことを特徴とする請求項８乃至請求項１４のいずれか１項に記載の汚染物質の吸収量の算出方法。
【請求項１６】
コンピュータで実行した場合に、請求項６乃至請求項１５のいずれか１項に記載の汚染物質の吸収量の算出方法をコンピュータに実行させるためのコンピュータプログラム。
【請求項１７】
請求項１６に記載のコンピュータプログラムを記憶するコンピュータ読み込み可能な記憶媒体。
【手続補正２】
【補正対象書類名】明細書
【補正対象項目名】０１０７
【補正方法】変更
【補正の内容】
【０１０７】
表１を例にとる。もし端末がユーザがジョギングをしている決定すると、毎分の呼吸数は２０であり、各呼吸の呼吸量は０．６リットルであるので、毎時間の呼吸量＝各呼吸の呼吸量＊毎分の呼吸数＊６０＊０．００１＝０．６＊２０＊６０＊０．００１＝０．７２ｍ３と算出される。
【国際調査報告】
2017536525.tif 000014
2017536525.tif 000015
2017536525.tif 000016
2017536525.tif 000017
2017536525.tif 000018
2017536525.tif 000019